(57)【特許請求の範囲】
【請求項１】
建物躯体の上面に被せられ、水勾配を有する笠木と、この笠木に立設された支柱と、この支柱の上部で支持された手摺りとを含む手摺りの支柱構造において、前記笠木と前記支柱との間に、厚さが前記水勾配の方向に変化していてこの変化が前記水勾配と対応しているピース部材が介設され、このピース部材は、本体の上面と下面に防水シール部材が固定されて形成され、前記ピース部材と前記支柱との間、前記ピース部材と前記笠木との間を密着防水シールするこれらの防水シール部材の厚さは均一で、前記本体の厚さは前記笠木の水勾配方向に変化した不均一厚さとなっており、前記本体には、下側の前記防水シール部材を貫通して下方に延び、前記笠木に形成されている孔に挿入されることによってこの笠木に対する前記ピース部材の位置決め部となる脚部が形成され、かつこのピース部材が前記笠木と前記支柱とに締め付け結合されていることを特徴とする手摺りの支柱構造。
【請求項２】
請求項１に記載の手摺りの支柱構造において、前記ピース部材には、このピース部材を向けるべき方向を示すマークが設けられていることを特徴とする手摺りの支柱構造。
【請求項３】
請求項１又は２に記載の手摺りの支柱構造において、前記ピース部材には、前記支柱の内部に配置されてこの支柱と結合された中子を挿通させるための孔が形成されていることを特徴とする手摺りの支柱構造。
【発明の詳細な説明】
【０００１】
【発明の属する技術分野】
本発明は、建物躯体に被される笠木上の手摺りの支柱構造に係り、例えば、バルコニの手摺りに利用できるものである。
【０００２】
【背景技術】
建物から張り出す例えばバルコニの腰壁には手摺りが設けられる。この手摺りは、建物躯体であるバルコニの腰壁上端に笠木を被せ、この笠木に立設された支柱の上部に支持される。この手摺りは建物外部に露出して設置されるため、笠木には水勾配が設けられる。このような笠木に対して支柱は垂直にしなければならないため、従来、笠木と接触する支柱の下端を水勾配と対応する角度で斜めに切断していた。
【０００３】
【発明が解決しようとする課題】
この従来技術によると、水勾配の角度はわずかであるため支柱の下端の斜め切断加工を正確に行うことが難しく、また、複数本ある支柱の全部を同じ正確な角度で切断加工することも難しかった。さらに、下端を正確な角度で切断できても、建物の建設現場で各支柱を笠木上に垂直に立てるためには各支柱の向きを正しい向きにしなければならないが、下端の斜め切断角度は小さいため、この正しい向きを判別するのに手間取るという問題があった。
【０００４】
本発明の目的は、笠木に水勾配があっても、この笠木に立設される支柱の下端を斜めに切断することを不要にでき、建物の建設現場での作業の容易化にも寄与する手摺りの支柱構造を提供するところにある。
【０００５】
【課題を解決するための手段】
本発明に係る手摺りの支柱構造は、建物躯体の上面に被せられ、水勾配を有する笠木と、この笠木に立設された支柱と、この支柱の上部で支持された手摺りとを含む手摺りの支柱構造において、前記笠木と前記支柱との間に、厚さが前記水勾配の方向に変化していてこの変化が前記水勾配と対応しているピース部材が介設され、このピース部材は、本体の上面と下面に防水シール部材が固定されて形成され、前記ピース部材と前記支柱との間、前記ピース部材と前記笠木との間を密着防水シールするこれらの防水シール部材の厚さは均一で、前記本体の厚さは前記笠木の水勾配方向に変化した不均一厚さとなっており、前記本体には、下側の前記防水シール部材を貫通して下方に延び、前記笠木に形成されている孔に挿入されることによってこの笠木に対する前記ピース部材の位置決め部となる脚部が形成され、かつこのピース部材が前記笠木と前記支柱とに締め付け結合されていることを特徴とする係るものである。
【０００６】
このように本発明では、笠木と支柱との間に厚さが水勾配の方向に変化していてこの変化が水勾配と対応しているピース部材を介設したため、支柱の下端を水勾配と対応させて斜めに切断する必要はなくなり、支柱の長さ方向に対して直角に切断すればよくなる。また、ピース部材の厚さ、すなわちこのピース部材の支柱長さ方向の寸法は支柱の全体長さよりも小さいため、ピース部材の水勾配方向に変化している厚さを建物の建設現場の作業者は簡単に認識でき、このため、笠木の上面にピース部材を載せるときにピース部材を正しい向きにして載せることができるようになり、建設現場作業の簡単化を図ることができる。
【０００７】
このように、ピース部材の厚さが変化していることを認識できて笠木に載せるときのピース部材の正しい向きを容易に確認できるようになる効果は、ピース部材の厚さが小さい程顕著になる。
【０００８】
また、ピース部材に、ピース部材を向けるべき方向を示すマークが設けられていると、笠木に載せるときのピース部材の正しい向きを作業者に一層確実に認識させることができるようになる。このマークは、凹凸等による形状的なものでもよく、また、塗料等による表示的なものでもよい。
【０００９】
前述した本発明に係る手摺りの支柱構造では、ピース部材に、このピース部材を笠木に位置決めするための位置決め部が設けられているため、笠木に対するピース部材の設置位置を正確なものにでき、そして笠木に対する支柱の設置位置の正確度を高めることができる。
【００１２】
【発明の実施の形態】
以下に本発明の一実施形態を図面に基づいて説明する。図１は、本実施形態に係る手摺りの支柱構造の断面図を示している。図２、図３は、図１で示された支柱１の内部に配置されている中子２の建物躯体への取付構造を示している。初めに、この中子２の取付構造を説明する。
【００１３】
図３に示されている通り、上方へ延びる中子２は溶接接合された上下２枚の板材３，４からなるベース部材５の上面に載せられ、上側の板材３には折り曲げで上方へ隆起した隆起部３Ａが形成され、下側の板材４に形成された開口部４Ａから挿入されたビス６が、アルミ合金製の押し出し成形品である中子２のビスポケット２Ａにねじ込まれることにより、中子２はベース部材５上に立設固定される。図２に示す通り、ベース部材５はブラケット７の上面に載せられ、この上面には２個の突片部７Ａが形成され、これらの突片部７Ａの間に位置決めされながらベース部材５は載せられる。
【００１４】
図１に示す通り、中子２を取り付けるべき建物躯体の内部、本実施形態ではバルコニの腰壁８の内部には予めアンカー部材９が埋設され、図２で示されているベース部材５に形成された孔５Ａおよびブラケット７に形成された孔に図１のビス１０を挿入してアンカー部材９にねじ込むことにより、ベース部材５とブラケット７は腰壁８に共締め結合され、ベース部材５に立設固定されている中子２はベース部材５、ブラケット７を介して腰壁８に結合される。
【００１５】
図４は、前記支柱１の取付構造を示している。ブラケット７に被せられて腰壁８の上端を覆うための笠木１１の下面には板状の裏部材１２が配置され、笠木１１の上面には笠木１１と支柱１との間に介設されるピース部材１３が配置される。これらの裏部材１２、笠木１１、ピース部材１３には中子２を挿通させるための孔１２Ａ，１１Ａ，１３Ａが設けられ、裏部材１３の下方からビス１４を裏部材１２、笠木１１、ピース部材１３に挿通し、さらにビス１４をアルミ合金製の押し出し成形品である支柱１のビスポケットにねじ込むことにより、支柱１は裏部材１２で補強された笠木１１の部分にピース部材１３を介して立設固定される。
【００１６】
ここで、図１に示すように笠木１１が腰壁８にブラケット７を介して取り付けられたとき、笠木１１は水勾配の角度分だけ水平方向から傾斜することになるため、ピース部材１３は、この水勾配と対応するように、室外側端部と室内側端部とで厚さが異なる不均一厚さになっている。具体的に説明すると、図５に示すように、ピース部材１３は、本体１５と、この本体１５の上面と下面とに粘着剤で固定された防水シール部材１６，１７とからなり、これらの防水シール部材１６，１７の厚さは均一で、本体１５の厚さは笠木１１の水勾配方向に変化した不均一厚さとなっている。厚さの小さい室外側端部には、室外側端部であることを示すマークである小突起１５Ａが形成され、ピース部材１３を笠木１１の上面に置くとき、防水シート部材１６，１７の各表面に貼られていた剥離紙を剥がした後、この小突起１５Ａを室外側にして置く。
【００１７】
また、図６に示されている通り、本体１５には下側の防水シール部材１７を貫通して下方に延びる２個の脚部１５Ｂが設けられており、これらの脚部１５Ｂを笠木１１に形成されている孔１１Ｂに挿入してピース部材１３を笠木１１上に配置する。
【００１８】
これにより、ピース部材１３は小突起１５Ａで正しい方向に向けられながら、孔１１Ｂと脚部１５Ｂとによる凹凸係合で笠木１１の正確な位置に設置されたことになり、このときの脚部１５Ｂは笠木１１に対するピース部材１３の位置決め部となる。そして、このピース部材１３上にビス１４で立設固定される支柱１は所定の正確位置に配置されることになる。このようにピース部材１３を介して笠木１１に支柱１を取り付けたとき、ピース部材１３の本体１５の厚さは室内外方向に変化しているため、支柱１は笠木１１に笠木１１の前記水勾配と対応する角度をなして取り付けられていることになる。また、ピース部材１３と支柱１との間、ピース部材１３と笠木１１の間は、前記防水シール部材１６，１７で密着防水シールされていることになり、これらの防水シール部材１６，１７は、ビス１４で支柱１がピース部材１３を介して笠木１１に締め付け結合されることにより圧縮されるため、防水性が向上する。
【００１９】
このため、手摺り全体が以下の作業によって組み立てられた後において、雨天時に雨水が支柱１とピース部材１３との間、ピース部材１３と笠木１１との間に侵入するのを有効に防止でき、支柱部分が２部品である支柱１とピース部材１３とで形成されていても、防水性を確保できる。
【００２０】
以上のように支柱１が取り付けられた笠木１１を上方から徐々に降ろし、裏部材１２、笠木１１、ピース部材１３の各孔１２Ａ，１１Ａ，１３Ａに中子２を挿入しながら、この中子２を図１に示す通り支柱１の内部まで入れて笠木１１をブラケット７に被せ、笠木１１の幅方向両端の係止部１１Ｃをブラケット７の同方向の両端部７Ｂに係止することにより、笠木１１をブラケット７に連結する。このときの笠木１１は室内側に下り傾斜した水勾配を有しているが、支柱１はピース部材１３の不均一厚さのため正確に垂直となっている。
【００２１】
図７は、支柱１と中子２の上端部分を示している。支柱１の内部に中子２が挿入されたとき、中子２の上端は支柱１の上端から図７で示す高さＨ’分突出している。このような支柱１と中子２との高さ関係は、支柱１がどのような長さであっても、押し出し成形品から得る中子２を所望長さに切断生産することにより実現できる。
【００２２】
中子２の上端に架設部材１８が載せられ、この架設部材１８は図８に示す通り平面四角形であるとともに、図７に示されているように中央の高位の第１水平部１８Ａと、両側の低位の第２水平部１８Ｂと、これらの水平部間を繋ぐ垂直部１８Ｃとからなる屈曲形状になっている。第１水平部１８Ａに上方から下方に２本のビス１９を挿通し、これらのビス１９を支柱１のビスポケット１Ａにねじ込み、また、第１水平部１８Ａに上方から下方に２本のビス２０を挿通し、これらのビス２０を中子２のビスポケット２Ａにねじ込む。
【００２３】
これにより架設部材１８は支柱１と中子２とに架設固定される。中子２のビスポケット２Ａにねじ込まれたビス２０をさらに強くねじ込むと、ビス２０からの引き上げ作用により中子２は上方に引っ張られ、中子２の上端が支柱１の上端から高さＨ分突出することにより、その突出分に応じた予圧引張力が中子２に付与されることになる。このような予圧引張力はビス２０をねじ込むという簡単な作業を行うことにより発生させることができ、ビス２０のねじ込み量により予圧引張力の大きさを調整できる。
【００２４】
また、ビス２０を介して中子２を上方へ引っ張っている架設部材１８は水平部１８Ａと垂直部１８Ｃとを有する屈曲形状であるため、支柱１の上端と中子２の上端とが同じ高さになっていて架設部材が単なる水平部材となっている場合と比べ、垂直部１８Ｃが弾性傾斜することによるばね作用も期待でき、このため、中子２に予圧引張力を発生させることを有効に実現できる。
【００２５】
以上のように支柱１と中子２とに架設部材１８が架設されるときには、上部材２１と下部材２２からなる手摺り２３の下部材２２は、この下部材２２に形成されている開口部に支柱１が挿入されることにより、支柱１に嵌合されており、下部材２２に内方に延出形成された延出部２２Ａが支柱１の上端に載せられている。図８で示されている通り、架設部材１８の前記第２水平部１８Ｂは支柱１の外側に突出した突出部となっており、この突出部にビス２４で延出部２２Ａを結合する。これにより、手摺り２３の下部材２２は架設部材１８を介して支柱１と中子２に連結されたことになり、中子２を上方に引っ張るための架設部材１８を利用してこの連結を行うため、それだけ構造の簡単化、部品点数の削減が達成される。
【００２６】
なお、架設部材１８の第１水平部１８Ａにビス１９，２０を挿通してこれらのビスを支柱１のビスポケット１Ａ、中子２のビスポケット２Ａにねじ込むことは、ビス２４により架設部材１８に下部材２２を結合した後に行ってもよい。
【００２７】
この後、断面半円形の下部材２２の両端部２２Ｂに断面半円形の上部材２１の両端係合部２１Ａを係合することにより、断面円形の手摺り２３が形成され、この手摺り２３は支柱１の上端で支持されていることになる。
【００２８】
そして、手摺りの支持強度は、支柱１の内部の中子２の予圧引張力が付与されているため、大きくなっている。
【００２９】
【発明の効果】
本発明によると、笠木と支柱との間にピース部材を介設したため、笠木に水勾配があってもピース部材の厚さを水勾配方向に変化させてこの変化を水勾配と対応させることにより、支柱の下端を斜めに切断することが不要になり、また、建物の建設現場では水勾配方向におけるピース部材の厚さの変化を作業者は容易に確認できるため、ピース部材を正しい向きに向けて笠木に載せるという現場作業の容易化を達成できる。
【図面の簡単な説明】
【図１】本発明の一実施形態の構造を示す縦断面図である。
【図２】図１で示された中子の取付構造を示す斜視図である。
【図３】図２の中子とベース部材との結合状態を示す図である。
【図４】図１で示された支柱と笠木等の分解斜視図である。
【図５】支柱と笠木との間に介設されるピース部材の分解斜視図である。
【図６】図６のピース部材が笠木に位置決め配置されることを示す図である。
【図７】手摺りが支持される支柱と中子の上端部分の図である。
【図８】図７で示された手摺りを構成する上部材が下部材に取り付けられる前における図７の平面図である。
【符号の説明】
１  支柱
２  中子
５  ベース部材
７  ブラケット
８  建物躯体であるバルコニの腰壁
１１  笠木
１３  ピース部材
１５  本体
１５Ａ  マークである小突起
１５Ｂ  位置決め部である脚部
１６，１７  防水シール部材
１８  架設部材
【図１】
0003765095.tif 000002
【図２】
0003765095.tif 000003
【図３】
0003765095.tif 000004
【図４】
0003765095.tif 000005
【図５】
0003765095.tif 000006
【図６】
0003765095.tif 000007
【図７】
0003765095.tif 000008
【図８】
0003765095.tif 000009